(57)【要約】      （修正有）【課題】複数の表示手段を有する折りたたみ式携帯端末において、ユーザ操作の利便性を向上させることが可能な折りたたみ式携帯端末を提供する。【解決手段】液晶ディスプレイ１，２を有する各表示部材は連結部において、回動可能に連結されている。開閉角度検知部１３は、各表示部材の各表示面がなす開閉角度の変化を検知する。操作認識部１６は、開閉角度検知部１３が検知した各表示面がなす開閉角度の変化をユーザ操作として認識し、表示制御部１５は、開閉角度検知部１３が検知した表示面１，２がなす開閉角度に応じて液晶ディスプレイ１，２の表示画面を制御する。これにより、ユーザは、文書閲覧プログラムのページ送り等の操作において、指によるスイッチ操作等を行なう必要がなくなり、ユーザ操作の利便性を向上させることが可能となる。【選択図】図２
2009265757.tif 000002
【特許請求の範囲】
【請求項１】
第１の表示手段を第１の表示面に有する第１の表示部材と、
前記第１の表示部材に回動可能に連結され、第２の表示手段を第２の表示面に有する第２の表示部材と、
前記第１の表示面と前記第２の表示面とがなす角度を検知する角度検知手段と、
前記角度検知手段が検知した前記第１の表示面と前記第２の表示面とがなす角度の変化に応じて前記第１の表示手段及び前記第２の表示手段の少なくともいずれかの表示を制御する表示制御手段と
を備えた折りたたみ式携帯端末。
【請求項２】
前記第１の表示部材及び前記第２の表示部材の少なくともいずれかの加速度を検知する加速度検知手段をさらに備え、
前記表示制御手段は、前記加速度検知手段が検知した加速度に応じて、前記第１の表示手段及び前記第２の表示手段の少なくともいずれかの表示を制御する、請求項１に記載の折りたたみ式携帯端末。
【請求項３】
前記角度検知手段が検知した前記第１の表示面と前記第２の表示面とがなす角度が、略１８０°のときに、前記表示制御手段は、前記第１の表示手段及び前記第２の表示手段に、合わせて単一の表示画面となる表示画面をそれぞれ表示させる、請求項１又は２に記載の折りたたみ式携帯端末。
【請求項４】
前記表示制御手段は、前記第１の表示手段及び前記第２の表示手段に、ページ送りを行うことが可能な文書を表示させ、前記角度検知手段が検知した前記第１の表示面と前記第２の表示面とがなす角度の変化の大きさにより、前記第１の表示手段及び前記第２の表示手段に表示させている前記文書のページ送りをするページ数を変更する、請求項１〜３のいずれか１項に記載の折りたたみ式携帯端末。
【請求項５】
前記表示制御手段は、前記第１の表示手段及び前記第２の表示手段に、ページ送りを行うことが可能な文書を表示させ、前記角度検知手段が検知した前記第１の表示面と前記第２の表示面とがなす角度の変化の速さにより、前記第１の表示手段及び前記第２の表示手段に表示させている前記文書のページ送りをするページ数を変更する、請求項１〜３のいずれか１項に記載の折りたたみ式携帯端末。
【発明の詳細な説明】
【技術分野】
【０００１】
本発明は、折りたたみ式携帯端末に関し、特に複数の表示手段を有する折りたたみ式携帯端末に関するものである。
【背景技術】
【０００２】
複数の液晶ディスプレイを有し、携行時にはそれぞれの液晶ディスプレイを折りたたむことができ、使用時には複数の液晶ディスプレイを展開して、それぞれの液晶ディスプレイに表示画面を表示することができる折りたたみ式携帯端末が提案されている。例えば、特許文献１には、第１表示部及び第２表示部を有する携帯情報端末装置が開示されている。この携帯情報端末装置は、第２表示部が携帯情報端末装置の正面に展開された場合、ユーザから第１表示部および第２表示部が同時に視認可能となる。第１表示部および第２表示部は、それぞれの表示画面の視認状況に応じて自動的にそれぞれの表示レイアウトが切り替わる。また、表示対象の情報変化に応じて自動的にそれぞれの表示レイアウトが切り替わる。
【特許文献１】特開２００５−１９８２５９号公報
【発明の開示】
【発明が解決しようとする課題】
【０００３】
しかしながら、上記のような技術では、複数の液晶ディスプレイに対する表示レイアウトの切り替えについては、アプリケーションの状態に応じて複数の液晶ディスプレイに最適化したレイアウトに割り当てるものの、アプリケーションに対するユーザ操作は操作キー等により行う必要があり、さらにユーザ操作の利便性を向上させた機器が望まれている。
【０００４】
本発明は、かかる事情に鑑みてなされたものであり、その目的は、複数の表示手段を有する折りたたみ式携帯端末において、ユーザ操作の利便性を向上させることが可能な折りたたみ式携帯端末を提供することにある。
【課題を解決するための手段】
【０００５】
本発明は、第１の表示手段を第１の表示面に有する第１の表示部材と、第１の表示部材に回動可能に連結され、第２の表示手段を第２の表示面に有する第２の表示部材と、第１の表示面と第２の表示面とがなす角度を検知する角度検知手段と、角度検知手段が検知した第１の表示面と第２の表示面とがなす角度の変化に応じて第１の表示手段及び第２の表示手段の少なくともいずれかの表示を制御する表示制御手段とを備えた折りたたみ式携帯端末。
【発明の効果】
【０００６】
本発明の折りたたみ式携帯端末によれば、ユーザ操作の利便性を向上させることが可能となる。
【発明を実施するための最良の形態】
【０００７】
以下、図面を参照しつつ本発明に係る折りたたみ式携帯端末の好適な実施形態について詳細に説明する。
【０００８】
図１は、実施形態に係る折りたたみ式携帯端末１００の外観を示す斜視図である。図１に示すように、本実施形態の折りたたみ式携帯端末１００は、表示部材２１，２２の表示面２４，２５に液晶ディスプレイ１，２を有する。表示部材２１，２２は連結部２３において、表示面２４と表示面２５とがなす開閉角度を変更自在に連結されている。
【０００９】
本実施形態の折りたたみ式携帯端末１００は、携行時には表示部材２１，２２を折りたたむことができ、使用時には表示部材２１，２２を展開して、液晶ディスプレイ１，２に実行する文書閲覧プログラム等のアプリケーションプログラムに応じた表示画面を表示するためのものである。なお、図１には、折りたたみ式携帯端末１００において、２つの表示部材２１，２２にそれぞれ備えられた液晶ディスプレイ１，２が図示されているが、表示部材２１，２２それぞれの端部にさらに複数の表示部材が回動可能に連結され、それらの表示部材の表示面に液晶ディスプレイ３〜ｎをそれぞれ有していても良い。
【００１０】
表示部材２１，２２それぞれ同士が連結されている連結部２３には、後述の開閉角度検知部１３が設けられている。また、表示部材２１，２２において、表示部材２１，２２それぞれの連結部２３とは反対側の端部には、後述の加速度検知部１７がそれぞれ設けられている。
【００１１】
図２は、実施形態に係る折りたたみ式携帯端末１００の構成を示すブロック図である。図２に示すように、本実施形態の折りたたみ式携帯端末１００は、制御部１０、入出力部１１、記憶部１２、開閉角度検知部１３、バッテリ部１４、表示制御部１５、認識部１６、加速度検知部１７、バッテリ残量検知部１８、及び表示部１９を備えている。
【００１２】
制御部１０は、折りたたみ式携帯端末１００のシステム全体の制御を行うためのものである。入出力部１１は、ユーザにより、折りたたみ式携帯端末１００に接続された他の機器に対して各種データの入出力を行なうためのものである。
【００１３】
記憶部１２は、折りたたみ式携帯端末１００において実行される各種アプリケーションプログラムを記憶するためのものである。また、記憶部１２は、各種アプリケーションプログラムの実行時において、液晶ディスプレイ１，２における表示画面の表示状態とレイアウト状況との対応を記憶する。さらに記憶部１２は、開閉角度検知部１３が検知した表示面２４，２５がなす開閉角度を記憶する。
【００１４】
開閉角度検知部１３は、表示面２４，２５それぞれ同士がなす開閉角度を検知するためのものである。バッテリ部１４は、充放電可能なバッテリにより、折りたたみ式携帯端末１００の各部に動作のための電力を供給するためのものである。表示制御部１５は、制御部１０からの指令により液晶ディスプレイ１，２における表示画面を制御するためのものである。
【００１５】
操作認識部１６は、開閉角度検知部１３が検知した表示面２４，２５がなす角度の変化、及び加速度検知部１７が検知した表示部材２１，２２それぞれの加速度をユーザ操作として認識するためのものである。また、操作認識部１６は、図１において不図示の各種スイッチに対するユーザの指によるユーザ操作を認識するためのものである。
【００１６】
加速度検知部１７は、表示部材２１，２２それぞれの加速度を検知するためのものである。バッテリ残量検知部１８は、バッテリ部１４のバッテリ残量を検知するためのものである。表示部１９は、液晶ディスプレイ１，２あるいは液晶ディスプレイ１〜ｎに実際の表示画面を表示するためのものである。表示状態検知部２０は、表示部１９における液晶ディスプレイ１，２の表示画面の表示状態とレイアウト状況とを検知するためのものである。
【００１７】
以下、本実施形態の折りたたみ式携帯端末１００の動作について説明する。図３は、実施形態に係る折りたたみ式携帯端末の動作を示すフロー図である。図３に示すように、折りたたみ式携帯端末１００は、文書閲覧プログラム等のアプリケーションプログラムを実行し、各種のイベント待ちの状態である（Ｓ１１）。
【００１８】
閉角度検知部１３が、表示面２４，２５がなす開閉角度の変化を検知すると（Ｓ１２）、操作認識部１６は、当該開閉角度を認識し、記憶部１２に記憶されている過去の開閉角度からの変位量及び開閉速度を求め、当該変位量及び開閉速度から特定のユーザ操作を認識する（Ｓ１３）。制御部１０は、操作認識部１６が認識したユーザ操作に応じたアプリケーションプログラムに対するコマンドを生成し、表示制御部１５に送信する（Ｓ１４）。
【００１９】
図４（Ａ）〜（Ｃ）は、折りたたみ式携帯端末１００が文書閲覧プログラムを実行している場合におけるページ送りの動作を示す図である。例えば、図４（Ａ）に示すように、液晶ディスプレイ１に文書の１ページ目が表示され、液晶ディスプレイ２に文書の２ページ目が表示されている場合において、ユーザは表示面２４，２５がなす開閉角度がより小さくなるようにすぼめる。
【００２０】
次に、図４（Ｂ）に示すように、ユーザは表示面２４，２５がなす開閉角度をすぼめる前の角度に戻す。以上の表示面２４，２５がなす開閉角度の変化を閉角度検知部１３が検知すると、操作認識部１６は、当該開閉角度の変化を、ページ送りを要求するユーザ操作と認識し、液晶ディスプレイ１，２が表示している文書にページ送りが発生する。すなわち、図４（Ｃ）に示すように、液晶ディスプレイ１に文書の３ページ目が表示され、液晶ディスプレイ２に文書の４ページ目が表示される。
【００２１】
この場合、表示面２４，２５の開閉角度の変化の大きさが大きいほど、より多くのページをめくるなどのユーザ操作を割り当てることとしても良い。また、表示面２４，２５の開閉角度の変化の速さを速くするほど、より多くのページをめくるなどのユーザ操作を割り当てることとしても良い。あるいは、ユーザが、表示面２４，２５がなす開閉角度を略１８０°とした場合には、液晶ディスプレイ１，２は、合わせて単一の表示画面となる表示画面をそれぞれ表示するユーザ操作を割り当てることとしても良い。
【００２２】
図３に戻り、もし、閉角度検知部１３が、表示面２４，２５がなす開閉角度の変化を検知しない場合には（Ｓ１２）、ユーザの指によるスイッチ操作等のイベントに従って、制御部１０及び表示制御部１５は処理を実行し、次のイベント待ちに戻る（Ｓ１５）。
【００２３】
以下、本実施形態の折りたたみ式携帯端末１００の別の動作について説明する。図５は、実施形態に係る折りたたみ式携帯端末１００の別の動作を示すフロー図である。図５に示すように、この動作においても、図５中のＳ２１〜Ｓ２３及びＳ２６が、図３中のＳ１１〜Ｓ１３及びＳ１５と同様に実行される。Ｓ２４においては、加速度検知部１７は、表示部材２１，２２の加速度を検知し、操作認識部１６は、当該加速度から表示部材２１，２２のいずれがユーザ操作において主に操作された（移動のあった）表示部材であるかを認識する（Ｓ２４）。制御部１０は、操作認識部１６が認識したユーザ操作に応じたアプリケーションプログラムに対するコマンドを生成し、表示制御部１５に送信する（Ｓ２５）。
【００２４】
図６（Ａ）〜（Ｃ）は、折りたたみ式携帯端末１００が文書閲覧プログラムを実行している場合におけるページ送りの別の動作を示す図である。例えば、図６（Ａ）に示すように、液晶ディスプレイ１に文書の２ページ目が表示され、液晶ディスプレイ２に文書の３ページ目が表示されている場合において、ユーザが表示部材２１のみを持ち上げることにより、表示面２４，２５がなす開閉角度がより小さくなるようにすぼめる。
【００２５】
次に、図６（Ｂ）に示すように、ユーザは、持ち上げた表示部材２１を降ろすことにより、表示面２４，２５がなす開閉角度をすぼめる前の角度に戻す。以上の表示面２４，２５がなす開閉角度の変化を開閉角度検知部１３が検知し、さらに加速度検知部１７が表示部材２１のみが移動したことを検知すると、操作認識部１６は、当該開閉角度の変化を、ページを戻すことを要求するユーザ操作と認識し、液晶ディスプレイ１，２が表示している文書に逆方向へのページ送りが発生する。すなわち、図６（Ｃ）に示すように、液晶ディスプレイ１に文書の１ページ目が表示され、液晶ディスプレイ２に文書の２ページ目が表示される。
【００２６】
本実施形態によれば、操作認識部１６は、開閉角度検知部１３が検知した表示面２４，２５がなす開閉角度の変化をユーザ操作として認識する。これにより、ユーザは、文書閲覧プログラムのページ送り等の操作において、指によるスイッチ操作等を行なう必要がなくなり、ユーザ操作の利便性を向上させることが可能となる。
【００２７】
また、本実施形態によれば、表示部材２１，２２の加速度を検知する加速度検知部１７をさらに備え、操作認識部１６は、加速度検知部１７が検知した加速度により、ユーザ操作を認識するため、主にユーザ操作がなされた表示面を特定することができ、表示面２４，２５がなす開閉角度の変化について、より多くのユーザ操作を割り当てることができる。
【００２８】
さらに、本実施形態において、表示面２４，２５の開閉角度の変化の大きさが大きいほど、より多くのページをめくるなどのユーザ操作、あるいは、表示面２４，２５の開閉角度の変化の速さを速くするほど、より多くのページをめくるなどのユーザ操作を割り当てることにより、ユーザは、アプリケーションプログラムに対する操作を把握し易くなり、ユーザ操作の利便性をさらに向上させることが可能となる。
【００２９】
加えて、本実施形態において、表示面１，２がなす開閉角度を略１８０°とした場合には、表示面１，２は、合わせて単一の表示画面となる表示画面をそれぞれ表示するユーザ操作を割り当てることとすることしても、ユーザは、アプリケーションプログラムに対する操作を把握し易くなり、ユーザ操作の利便性をさらに向上させることが可能となる。
【００３０】
以上、本発明の実施の形態について説明したが、本発明は、上記実施形態に限定されるものではなく種々の変形が可能である。
【図面の簡単な説明】
【００３１】
【図１】実施形態に係る折りたたみ式携帯端末の外観を示す斜視図である。
【図２】実施形態に係る折りたたみ式携帯端末の構成を示すブロック図である。
【図３】実施形態に係る折りたたみ式携帯端末の動作を示すフロー図である。
【図４】（Ａ）〜（Ｃ）は、ページ送りの動作を示す図である。
【図５】実施形態に係る折りたたみ式携帯端末の別の動作を示すフロー図である。
【図６】（Ａ）〜（Ｃ）は、別のページ送りの動作を示す図である。
【符号の説明】
【００３２】
１，２，ｎ…液晶ディスプレイ、１０…制御部、１１…入出力部、１２…記憶部、１３…開閉角度検知部、１４…バッテリ部、１５…表示制御部、１６…操作認識部、１７…加速度検知部、１８…バッテリ残量検知部、１９…表示部、２０…表示状態検知部、２１，２２…表示部材、２３…連結部、２４，２５…表示面、１００…折りたたみ式携帯端末。
【図１】
2009265757.tif 000003
【図２】
2009265757.tif 000004
【図３】
2009265757.tif 000005
【図４】
2009265757.tif 000006
【図５】
2009265757.tif 000007
【図６】
2009265757.tif 000008